(57)【特許請求の範囲】
【請求項１】
照明、演出用ランプ、液晶パネル、演出用スピーカを含む複数の演出部材の消費電力を抑制した状態で稼動させるエコモードオンと、抑制しない状態で稼動させるエコモードオフとのエコモード切り換えが可能な遊技機において、
前記スピーカの音量調整を行うための複数個の切換接点を有する音量調整スイッチと、
前記スピーカの音量調整および前記エコモード切り換えの設定を行う制御手段と、
出玉率を示す設定値を表示するための設定表示スイッチと、
遊技機起動用の電源スイッチとを備え、
前記制御手段は、
前記音量調整スイッチの前記各切換接点のうち異なる前記切換接点に対して割り振られたエコモードオンおよびエコモードオフの対応付けを予め記憶するとともに、前記各切換接点それぞれに対して設定された音量の対応付けを予め記憶し、
前記設定表示スイッチがオン状態である場合において前記音量調整スイッチが切り換えられるというエコモード切り換え設定条件が成立したときに、前記音量調整スイッチの切り換え後の当該切換接点に対応付けられたエコモードオンまたはエコモードオフを判断して前記エコモード切り換えの設定を行い、前記設定表示スイッチがオフ状態である場合は前記音量調整スイッチが切り換えられたとしても、前記エコモード切り換えの設定を行わず、
前記音量調整スイッチの切り換え後に前記電源スイッチが操作されるまでは音量調整を行わず、前記音量調整スイッチの切り換え後に前記電源スイッチを操作するという前記エコモード切り換え設定条件とは異なる音量切り換え設定条件が成立したときに、前記音量調整スイッチの切り換え後の当該切換接点に対応付けられた音量に調整する
ことを特徴とする遊技機。
【請求項２】
照明、演出用ランプ、液晶パネル、演出用スピーカを含む複数の演出部材の消費電力を抑制した状態で稼動させるエコモードオンと、抑制しない状態で稼動させるエコモードオフとのエコモード切り換えが可能な遊技機において、
前記スピーカの音量調整を行うための複数個の切換接点を有する音量調整スイッチと、
前記スピーカの音量調整および前記エコモード切り換えの設定を行う制御手段と、
出玉率を示す設定値を表示するための設定表示スイッチとを備え、
前記制御手段は、
前記音量調整スイッチの前記各切換接点のうち異なる前記切換接点に対して割り振られたエコモードオンおよびエコモードオフの対応付けを予め記憶するとともに、前記各切換接点それぞれに対して設定された音量の対応付けを予め記憶し、
前記設定表示スイッチがオン状態である場合において前記音量調整スイッチが切り換えられるというエコモード切り換え設定条件が成立したときに、前記音量調整スイッチの切り換え後の当該切換接点に対応付けられたエコモードオンまたはエコモードオフを判断して前記エコモード切り換えの設定を行い、前記設定表示スイッチがオフ状態である場合は前記音量調整スイッチが切り換えられたとしても、前記エコモード切り換えの設定を行わず、
前記音量調整スイッチの切り換え操作を行うという前記エコモード切り換え設定条件とは異なる音量切り換え設定条件が成立したときに、前記音量調整スイッチの切り換え後の当該切換接点に対応付けられた音量に調整し、
前記エコモードオンおよび前記エコモードオフは、隣接する前記切換接点に対して割り振られている
ことを特徴とする遊技機。
【請求項３】
遊技者による所定の音量調整操作に基づいて前記スピーカの音量を指定する遊技者音量指定手段をさらに備え、
前記制御手段は、前記遊技者音量指定手段による前記スピーカの音量の指定があった場合は、前記音量調整スイッチの前記切換接点の位置に関わらず、当該指定された音量になるように前記スピーカへの出力信号のレベルを調整して音量設定を行うことを特徴とする請求項１または２に記載の遊技機。
【発明の詳細な説明】
【技術分野】
【０００１】
本発明は、消費電力を低減するエコモードを備えた遊技機に関する。
【背景技術】
【０００２】
従来、パチンコ機やスロットマシンなどの遊技機では、液晶表示装置、装飾ランプ、可動役物、スピーカなどを用いて種々の演出を行っている。この種の遊技機では、近年の低消費電力化の要請に伴い、このような演出で消費される電力や、待機時に消費する電力を節約するためのエコモードが搭載されたものがある。
【０００３】
例えば、特許文献１に記載の遊技機では、音量調節用のロータリースイッチを利用してエコモードのオン／オフ切り換えを行う技術が開示されている。この場合、のロータリースイッチは、「０」〜「Ｆ」の１６個の切換接点を有し、これらの切換接点が、「０」、「１」・・・「７」、「８」・・・「Ｅ」、「Ｆ」の順に時計回り並んでいる。そして、切換接点「０」〜「７」がエコモードオフの音量調整領域に設定され、切換接点「８」〜「Ｆ」がエコモードオンの音量調整領域に設定されている。
【先行技術文献】
【特許文献】
【０００４】
【特許文献１】特許第４９６８４０１号公報（段落００４７〜００５０、図５、図６等参照）
【発明の概要】
【発明が解決しようとする課題】
【０００５】
しかしながら、特許文献１に記載の遊技機では、ロータリースイッチの切換接点が１６個であるのに対して、８段階の音量レベルの調整しかできない上、ロータリースイッチを大きく回さないとエコモードのオン／オフ切り換えができない場合がある。また、エコモードの切り換え設定と音量調整の一方のみを行うつもりが、両方を行ってしまうという誤操作が生じるおそれもあり、音量調整とエコモードのオン／オフの切り換えの両立には課題がある。そこで、エコモードの切り換え設定用スイッチを新たに設けることが考えられるが、部品点数が増加するため、既存の音量調整用のスイッチを利用して、音量の調整と、エコモードのオン／オフの切り換え設定の両方を適切に行うことができる技術が求められている。
【０００６】
本発明は、上記課題に鑑みてなされたものであり、既存の音量調整スイッチを用いて、エコモードのオン／オフの切り換え設定および音量調整の両方を適切に行うことができる遊技機を提供することを目的とする。
【課題を解決するための手段】
【０００７】
上記目的を達成するために、本発明にかかる遊技機は、照明、演出用ランプ、液晶パネル、演出用スピーカを含む複数の演出部材の消費電力を抑制した状態で稼動させるエコモードオンと、抑制しない状態で稼動させるエコモードオフとのエコモード切り換えが可能な遊技機において、前記スピーカの音量調整を行うための複数個の切換接点を有する音量調整スイッチと、前記スピーカの音量調整および前記エコモード切り換えの設定を行う制御手段と、出玉率を示す設定値を表示するための設定表示スイッチと、遊技機起動用の電源スイッチとを備え、前記制御手段は、前記音量調整スイッチの前記各切換接点のうち異なる前記切換接点に対して割り振られたエコモードオンおよびエコモードオフの対応付けを予め記憶するとともに、前記各切換接点それぞれに対して設定された音量の対応付けを予め記憶し、前記設定表示スイッチがオン状態である場合において前記音量調整スイッチが切り換えられるというエコモード切り換え設定条件が成立したときに、前記音量調整スイッチの切り換え後の当該切換接点に対応付けられたエコモードオンまたはエコモードオフを判断して前記エコモード切り換えの設定を行い、前記設定表示スイッチがオフ状態である場合は前記音量調整スイッチが切り換えられたとしても、前記エコモード切り換えの設定を行わず、前記音量調整スイッチの切り換え後に前記電源スイッチが操作されるまでは音量調整を行わず、前記音量調整スイッチの切り換え後に前記電源スイッチを操作するという前記エコモード切り換え設定条件とは異なる音量切り換え設定条件が成立したときに、前記音量調整スイッチの切り換え後の当該切換接点に対応付けられた音量に調整することを特徴としている。この構成によると、エコモード状態を切り換えるためのエコモード切り換え設定条件と、音量調整を行うための音量切り換え設定条件とが異なるため、エコモード状態および音量の一方を変更しようとしたときに、本来変更するつもりのない他方の設定を変更してしまうという誤操作を防止できる。また、音量調整スイッチを利用して、エコモードの切り換えと音量調整の両方を行うに当たり、従来のように、音量調整スイッチの切換接点の数に対して調整可能な音量レベルが減るような問題も生じない。すなわち、既存の音量調整スイッチを利用して、音量調整およびエコモードの切り換え設定の両方を適切に行うことができる。また、設定値を表示するため設定表示スイッチがオン状態で音量調整スイッチの切換接点を切り換えると、その切換接点に対応付けられたエコモードおよび音量のうち、エコモードのみが切り換え設定される。その後、設定表示スイッチをオフ状態にして設定確認作業から復帰すると、今度は、音量調整スイッチの接点の切り換え操作を行っても、エコモードが変更されることはなく、切換接点の切り換え後に電源スイッチを操作することで、音量のみが変更される。設定値の確認作業は、ホールでの営業時間内で行われることが少ないため、営業時間内で音量調整スイッチの切り換え操作を行った場合は、音量調整のみを行い、営業時間外でエコモードの切り換え設定を行うという実用的な構成を提供することができる。
【０００９】
また、本発明にかかる他の遊技機は、照明、演出用ランプ、液晶パネル、演出用スピーカを含む複数の演出部材の消費電力を抑制した状態で稼動させるエコモードオンと、抑制しない状態で稼動させるエコモードオフとのエコモード切り換えが可能な遊技機において、前記スピーカの音量調整を行うための複数個の切換接点を有する音量調整スイッチと、前記スピーカの音量調整および前記エコモード切り換えの設定を行う制御手段と、出玉率を示す設定値を表示するための設定表示スイッチとを備え、前記制御手段は、前記音量調整スイッチの前記各切換接点のうち異なる前記切換接点に対して割り振られたエコモードオンおよびエコモードオフの対応付けを予め記憶するとともに、前記各切換接点それぞれに対して設定された音量の対応付けを予め記憶し、前記設定表示スイッチがオン状態である場合において前記音量調整スイッチが切り換えられるというエコモード切り換え設定条件が成立したときに、前記音量調整スイッチの切り換え後の当該切換接点に対応付けられたエコモードオンまたはエコモードオフを判断して前記エコモード切り換えの設定を行い、前記設定表示スイッチがオフ状態である場合は前記音量調整スイッチが切り換えられたとしても、前記エコモード切り換えの設定を行わず、前記音量調整スイッチの切り換え操作を行うという前記エコモード切り換え設定条件とは異なる音量切り換え設定条件が成立したときに、前記音量調整スイッチの切り換え後の当該切換接点に対応付けられた音量に調整し、前記エコモードオンおよび前記エコモードオフは、隣接する前記切換接点に対して割り振られていることを特徴としている。この構成によると、エコモードは、設定表示スイッチがオン状態でなければ切り換え設定されないのに対して、音量調整は、音量調整スイッチの接点の切り換え操作により直ちに反映される。そのため、音量調整するためにスイッチの接点を切り換え操作したはずが、エコモード状態が切り換わるという誤操作を防止することができる。また、エコモードのオン／オフの切り換えを行う際、特許文献２に記載の遊技機のように、ロータリースイッチを大きく回す必要がない。
【００１１】
また、遊技者による所定の音量調整操作に基づいて前記スピーカの音量を指定する遊技者音量指定手段をさらに備え、前記制御手段は、前記遊技者音量指定手段による前記スピーカの音量の指定があった場合は、前記音量調整スイッチの前記切換接点の位置に関わらず、当該指定された音量になるように前記スピーカへの出力信号のレベルを調整して音量設定を行うようにしてもよい。この構成によると、音量調整スイッチとともに、遊技者の操作に基づいてスピーカの音量を指定する遊技者音量指定手段が設けられるため、遊技中に音量を変更することができ、実用的である。
【発明の効果】
【００１２】
本発明によれば、エコモード状態を切り換えるためのエコモード切り換え設定条件と、音量調整を行うための音量切り換え設定条件とが異なるため、エコモード状態および音量の一方を変更しようとしたときに、本来変更するつもりのない他方の設定を変更してしまうという誤操作を防止できる。また、音量調整スイッチを利用して、エコモードの切り換えと音量調整の両方を行うに当たり、従来のように、音量調整スイッチの切換接点の数に対して調整可能な音量レベルが減るような問題も生じない。すなわち、既存の音量調整スイッチを利用して、音量調整およびエコモードの切り換え設定の両方を適切に行うことができる。
【図面の簡単な説明】
【００１７】
【図１】本発明の一実施形態に係るスロットマシンの斜視図である。
【図２】図１のスロットマシンの電気的構成を示すブロック図である。
【図３】ロータリースイッチを示す図である。
【図４】ロータリースイッチの切換接点と、エコモードのオン／オフ設定および音量レベルとの関係を示す図である。
【図５】遊技者用音量調整機構を説明するための図である。
【図６】ロータリースイッチの切換接点とデフォルト音量との関係を示す図である。
【図７】ロータリースイッチの切換接点とエコモードのオン／オフ設定および音量レベルとの関係の変形例を示す図である。
【図８】図７のロータリースイッチの切換接点とデフォルト音量との関係を示す図である。
【発明を実施するための形態】
【００１８】
本発明の一実施形態にかかる遊技機の一例であるスロットマシン１について、図１〜図６を参照して説明する。なお、図１はスロットマシン１の斜視図、図２はスロットマシン１の電気的構成を示すブロック図、図３はロータリースイッチを示す図、図４はロータリースイッチの切換接点とエコモードのオン／オフ設定および音量レベルとの関係を示す図、図５は遊技者用音量調整機構を説明するための図、図６はロータリースイッチの切換接点とデフォルト音量との関係を示す図である。
【００１９】
（構成）
この実施形態におけるスロットマシン１は、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前扉５により開閉自在に閉塞され、この前扉５のほぼ中央高さの位置に操作板７が配設されると共に、この操作板７の上方に正面板９が配設されている。
【００２０】
そして、この正面板９には横長矩形の表示窓１１が設けられている。また、表示窓１１の内側には、複数種類の図柄を予め定められた順序で可変表示する左・中・右リールが配置されている。左・中・右リールには、複数種類の図柄（例えば、「７」「ＢＡＲ」「Ｂｅｌｌ」「チェリー」「スイカ」「Ｒ１」「Ｒ２」）が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リールがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リールの回転が停止すると、図柄が上段、中段および下段にそれぞれ１個の合計３個ずつ覗くように設定されている。すなわち、３個すべてのリールが停止すると、縦３列横３行に配列された合計９個の図柄が表示窓１１に停止表示されるようになっている。
【００２１】
また、各リールをそれぞれ独立して回転駆動できるように、各リールには、それぞれステッピングモータにより構成されるリールモータ１４Ｌ，１４Ｍ，１４Ｒ（図２参照）が連結されている。
【００２２】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、各リールを回転させて各図柄の可変表示を開始させるレバー状のスタートスイッチ１９、左・中・右リールの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。なお、この実施形態では、１ゲームに必要なメダル投入数（規定数）は、３枚の１種類が設定されている。また、各リールにより複数種類の図柄を可変表示する複数の可変表示列が形成されており、各ストップスイッチ２１Ｌ，２１Ｍ，２１Ｒは、各リールそれぞれに対応して設けられている。
【００２３】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７（本発明の「液晶パネル」に相当）が設けられ、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒ（本発明の「演出用スピーカ」に相当）がそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３（本発明の「演出用ランプ」に相当）を構成している。
【００２４】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒ（本発明の「演出用ランプ」に相当）が設けられている。また、下部パネル３５の下方には、メダルの払出口３９や、この払出口３９から払い出されるメダルを受けるメダル受け４１が設けられている。また、正面板９には入賞ラインが描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２５】
また、各リールを支持する支持枠体（図示省略）が、筐体３内の後壁に固定されている。筐体３内の支持枠体の下方には、メダルを払出口３９に排出するためのホッパーユニット４３（図２参照）が配設されている。また、メダル投入口２５付近の裏面側には、メダル投入口２５に投入されたメダルが正規のものか否かを選別して正規のメダルのみをホッパーユニット４３に導くメダルセレクタ４８（図２参照）が配設されている。また、ホッパーユニット４３の左側には、操作ボックス４９（図２参照）が筐体３内の左側壁に固定されている。この操作ボックス４９には、電源のオン／オフを切り換える電源スイッチ５０（図２参照）が設けられるとともに、後述する設定変更処理のためのキーシリンダおよび押しボタン式の設定変更ボタン５２（図２参照）が設けられている。
【００２６】
続いて、スロットマシン１の電気的な構成について図２を参照して説明する。
【００２７】
図２において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、払出口３９に払い出されるメダルを１枚ずつ検出するものである。
【００２８】
左・中・右位置センサ５５Ｌ，５５Ｍ，５５Ｒは、左・中・右リールの回転位置をそれぞれ検出するためのもので、例えば左・中・右リールにそれぞれ設けられた突起部を検出するフォトインタラプタからなり、左・中・右リールが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００２９】
設定表示スイッチ５６は、操作ボックス４９のキーシリンダの内部に設けられており、設定変更キー（図示省略）をキーシリンダに挿入して回転することによりオン／オフが切り換えられる。
【００３０】
ここで、スロットマシン１の出玉率を調整する設定値を変更するための操作手順について説明する。例えば、スロットマシン１の電源スイッチ５０をオン操作する前に設定表示スイッチ５６をオン状態にし、電源スイッチ５０をオン操作すると、設定変更処理が開始される。このとき、設定変更ボタン５２（リセットスイッチ）を１回押すと、電源スイッチ５０のオン操作前に設定された設定値から１つ上位の設定値に仮設定される（例えば、設定３から設定４に仮設定）。その後は、設定変更ボタン５２を押す度に１つ上位の設定値に仮設定される。但し、仮設定値が６の場合に設定変更ボタン５２を押すと、設定値が１に戻って仮設定される。そして、最後に、スタートスイッチ１９のオン操作により設定値が確定し、その時の仮設定値がスロットマシン１の設定値になる。
【００３１】
また、設定値を確認する場合は、設定表示スイッチ５６をオン状態にすると、現在の設定値が前扉５の裏側に配設された設定表示器３６に表示される。設定表示器３６は、例えば７セグメントＬＥＤで形成されている。
【００３２】
ホッパーモータ５７はホッパーユニット４３に配設され、その駆動によりメダルを払出口３９に向けて払い出すものである。
【００３３】
また、このスロットマシン１では、遊技の進行に関する制御を行うメインＣＰＵ６１が実装されたメイン制御基板６３と、メイン制御基板６３から送信された情報に基づき遊技の進行に合わせた演出の制御を行うサブＣＰＵ７１が実装されたサブ制御基板７３とが別々に設けられており、メイン制御基板６３からサブ制御基板７３に対して各種の遊技情報が一方向で送信される。
【００３４】
メイン制御基板６３のＲＡＭ６５はスロットマシン１の遊技状態などの遊技に関するデータを一時的に記憶するものであり、各種のデータを格納するための各種の記憶領域が形成されている。
【００３５】
また、メイン制御基板６３のＲＯＭ６７は予め設定されたデータを含む遊技機用プログラム（スロットマシン１用のプログラム）を記憶する。
【００３６】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選手段１０３による役抽選結果（後述する、役の入賞に必要な情報も含む）に関する情報、各ストップスイッチ２１Ｌ，２１Ｍ，２１Ｒ、スタートスイッチ１９等の遊技者により操作される操作器具の操作に関する情報などの種々の遊技情報をコマンド形式でサブ制御基板７３（サブＣＰＵ７１）に送信する。
【００３７】
また、サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種の遊技情報に基づいてメモリ７５に格納されたプログラムを実行することで、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３８】
また、サブ制御基板７３には、それぞれスピーカ３１Ｌ，３１Ｒから出力される音量を調整するための装置側音量調整スイッチ３４ａ（本発明の「音量調整スイッチ」に相当）および遊技者側音量調整スイッチ３４ｂ（本発明の「遊技者音量指定手段」に相当）が接続される。なお、この実施形態では、装置側音量調整スイッチ３４ａは、サブ制御基板７３に実装されて筐体３の内側面に固定される。これに対して、遊技者側音量調整スイッチ３４ｂは、遊技者が操作できるように、例えば操作板７などに配設され、ハーネスなどを介してサブ制御基板７３に接続される。
【００３９】
なお、この実施形態のスロットマシン１では、照明、演出用ランプ、液晶表示器２７、スピーカ３１Ｌ，３１Ｒを含む複数の演出部材の消費電力を抑制した状態で稼働させるエコモードオンと、抑制しない状態で稼働させるエコモードオフとのエコモード状態の切り換えができるようになっている。エコモードオン時の消費電力の抑制の一例について説明すると、例えば、スロットマシン１の稼働状態では、エコモードオフ時では点灯されている下部パネル３５用の照明を消灯する。また、スロットマシン１の待機状態では、下部パネル３５用の照明の輝度をエコモードオフ時の５０％に抑制するとともに、各リールのバックライトを消灯し、さらに演出用のランプである上部ランプ部３３および下部ランプ部３７Ｌ，３７Ｒをいずれも消灯する。
【００４０】
スロットマシン１の稼働状態から待機状態へは、スロットマシン１に対する入力信号がない状態が、所定時間（例えば、５分）継続したときに移行され、何らかの入力信号があったときに、待機状態から稼働状態に移行される。なお、エコモードオン時において、スピーカ３１Ｌ，３１Ｒから出力される音量をエコモードオフ時よりも抑制したり、消音したりするようにしてもよい。
【００４１】
この実施形態では、エコモードオンおよびエコモードオフの切り換え設定（エコモード切り換え設定）が、スピーカ３１Ｌ，３１Ｒの出力音量を調整する装置側音量調整スイッチ３４ａを利用して行われる。装置側音量調整スイッチ３４ａは、図３に示すように、つまみを回転操作して０〜９番のスイッチ番号を切り換えるための１０個の切換接点を有するロータリースイッチにより構成される。なお、以下では、装置側音量調整スイッチ３４ａをロータリースイッチ３４ａという場合もある。
【００４２】
また、図４に示すように、ロータリースイッチ３４ａの各スイッチ番号「０」〜「９」それぞれには、エコモードオンおよびエコモードオフのいずれかのエコモード状態、および、音量レベルが対応付けられており、サブ制御基板７３のメモリ７５に当該対応関係が記憶されている。スピーカ３１Ｌ，３１Ｒから出力される音量レベルは、１〜１０の１０段階で設定され、スイッチ番号「０」が音量レベル「１」、スイッチ番号「１」が音量レベル「２」、スイッチ番号「２」が音量レベル「３」というように、スイッチ番号が大きくなるにつれて、音量レベルが上がるように構成されている。なお、ロータリースイッチ３４ａは、スイッチ番号「０」およびスイッチ番号「９」の相互移動が可能である。
【００４３】
エコモード状態については、各スイッチ番号が「０、２、４、６、８」のいずれかの場合は、エコモードオンに設定されるとともに、各スイッチ番号が「１、３、５、７、９」のいずれかの場合は、エコモードオフに設定されるように構成されている。換言すると、エコモードオンおよびエコモードオフは、隣接する切換接点に対して連続して交互に振り分けられており、ロータリースイッチ３４ａのつまみを時計方向または反時計方向に回転させてスイッチ番号を変更すると、エコモードオンとオフとが交互に切り換わるようになっている。このとき、ロータリースイッチ３４ａの切換接点に対するエコモードのオン／オフの振り分け状態は、例えば、サブ制御基板７３のメモリ７５にマップ化されるなどして予め登録されている。
【００４４】
このように、各スイッチ番号それぞれにエコモードの状態および音量レベルの両方が対応付けられていると、エコモード状態および音量レベルのいずれか一方のみを変更したい場合の対応が難しくなるが、この実施形態では、エコモード状態の切り換え設定の条件と音量切り換え設定の条件とを異ならせることで、エコモード状態および音量レベルのいずれか一方のみを変更したい場合に対応できるように構成されている。以下、エコモード切り換え設定および音量調整について説明する。
【００４５】
まず、エコモードオンあるいはエコモードオフの切り換えについて説明する。サブ制御基板７３は、まず、設定値の確認操作が行われたか否か、すなわち、設定表示スイッチ５６がオン状態であるか否かを判断する。該判断は、メイン制御基板６３から送信される情報（設定表示スイッチがオン状態であるか否かの情報）に基づいて行われる。サブ制御基板７３は、設定表示スイッチ５６がオン状態であると判断すると、次にロータリースイッチ３４ａのスイッチ番号が切り換えられたか否かを判断する。次に、サブ制御基板７３は、設定表示スイッチ５６がオン状態でロータリースイッチ３４ａのスイッチ番号が切り換えられたと判断すると（本発明の「エコモード切り換え設定条件の成立」に相当）、切り換え後のスイッチ番号に対応付けられたエコモード状態がオンであるかオフであるかをさらに判断した上で、切り換え後のスイッチ番号に対応付けられたエコモードオンまたはエコモードオフのエコモード状態に切り換え設定を行う。すなわち、切り換え後のスイッチ番号に対応付けられたエコモード状態を、現在のエコモード状態に反映する。
【００４６】
これに対して、サブ制御基板７３は、上述の確認操作が行われていない、すなわち、設定表示スイッチ５６がオフ状態であると判断すると、ロータリースイッチ３４ａのスイッチ番号が切り換えられた場合であっても、エコモード状態の切り換え設定を行わず、スイッチ番号を切り換える前のエコモード状態を維持する。なお、エコモード状態は、サブ制御基板７３のメモリ７５の所定のエコモード記憶領域に格納され、エコモード状態が切り換え設定される度に書き換えられる。
【００４７】
次に、音量切り換え設定について説明すると、サブ制御基板７３は、音量調整を電源スイッチ５０のオン操作またはオフ操作があったか否かを判断して行う。具体的には、メモリ７５の所定の記憶領域には、設定された音量レベルを格納するための音量記憶領域が設けられており、サブ制御基板７３で設定した音量レベルを記憶できるようになっている。そして、サブ制御基板７３は、電源スイッチ５０のオン操作またはオフ操作がある度に、メモリ７５の音量記憶領域に格納された音量レベルを、当該操作時のロータリースイッチ３４ａのスイッチ番号に対応付けられた音量レベルに書き換えた上で、スピーカ３１Ｌ，３１Ｒから出力される音量を当該書き換えた音量レベルに調整する。この構成によると、音量調整しようとして、ロータリースイッチ３４ａのスイッチ番号を切り換えた場合であっても、直ちに切り換え後のスイッチ番号の音量レベルに音量調整されることはなく、スイッチ番号の切り換えた後の電源スイッチ５０のオン操作またはオフ操作を待って、切り換え後のスイッチ番号の音量レベルに調整されることになる。なお、電源スイッチ５０のオン操作またはオフ操作を行うことが、本発明の「音量切り換え設定条件」に相当する。
【００４８】
また、音量の調整については、ロータリースイッチ３４ａのスイッチ番号の切り換えによるものだけでなく、遊技者が操作可能な遊技者側音量調整スイッチ３４ｂの操作によっても行うことができるようになっている。遊技者側音量調整スイッチ３４ｂは、例えば、遊技に関する様々な情報を液晶表示器２７に表示するときに用いられるメニュースイッチ群１６の左右キー３４Ｌ，３４Ｒ（図２における遊技者側音量調整スイッチ３４ｂに相当）などで構成することができる。また、左キー３４Ｌを１回押下する度に、音量レベルが１つ下がり、右キー３４Ｒを１回押下する度に、音量レベルが１つ上がるようになっている。
【００４９】
遊技者による音量調整については、各リールの停止時に左右キー３４Ｌ，３４Ｒのいずれかが遊技者により押下されると、液晶表示器２７に、例えば図５に示すような音量レベルが表示される。この場合、７本のバーが左右方向に配列されており、所定の色で塗りつぶされたバーの本数から音量レベルが分かるようになっている。ここで、左右キー３４Ｌ，３４Ｒが押下されて初めに表示される音量レベル（デフォルト音量）は、ロータリースイッチ３４ａのスイッチ番号に基づいて決定される。サブ制御基板７３のメモリ７５の所定のデフォルト音量記憶領域には、図６に示すように、ロータリースイッチ３４ａの各スイッチ番号と、液晶表示器２７に表示するデフォルト音量との関係が記憶されている。
【００５０】
サブ制御基板７３は、各リールが停止している状態で、左右キー３４Ｌ，３４Ｒのいずれかが押下されると、その時のロータリースイッチ３４ａのスイッチ番号を判断した上で、デフォルト音量記憶領域のデータからデフォルト音量を決定し、当該デフォルト音量が表示されるように液晶表示器２７を制御する。例えば、ロータリースイッチ３４ａのスイッチ番号が「３」に設定されている状態で、左右キー３４Ｌ，３４Ｒのいずれかが押下されると、サブ制御基板７３は、図５に示すようなデフォルト音量が表示されるように液晶表示器２７を制御する。また、ロータリースイッチ３４ａのスイッチ番号が「６」〜「９」の場合、サブ制御基板７３は、いずれもデフォルト音量として、最大音量である音量「７」が表示されるように液晶表示器２７を制御する。この場合、液晶表示器２７に表示される音量は最大音量「７」であるが、実際にスピーカ３１Ｌ，３１Ｒから出力される音量は、ロータリースイッチ３４ａのスイッチ番号に応じたレベルに設定される。
【００５１】
なお、液晶表示器２７に表示される音量レベルの画面へは、通常画面から左右キー３４Ｌ，３４Ｒの操作を契機に切り換わり、その後、無操作の状態が所定時間（例えば、３秒）継続したときに、自動的に通常画面に戻るようになっている。また、無操作の状態が所定時間継続する前にスタートスイッチ１９が操作された場合も、自動的に通常画面に戻るように構成されている。
【００５２】
デフォルト音量が表示された後に、遊技者が左右キー３４Ｌ，３４Ｒを操作して音量レベルが指定された場合、サブ制御基板７３は、ロータリースイッチ３４ａのスイッチ番号の如何に関わらず、当該指定された音量レベルになるように、スピーカ３１Ｌ，３１Ｒへの出力信号のレベルを調整して音量設定を行う。
【００５３】
また、この実施形態では、一旦遊技者による音量レベルの指定があった後に、電源スイッチ５０がオフ操作された場合、その次の電源スイッチ５０がオン操作された後に液晶表示器２７に表示されるデフォルト音量のレベルは、電源スイッチ５０がオフ操作される直前の音量レベルが維持される。
【００５４】
ここで、上記したサブ制御基板７３によるスピーカ３１Ｌ，３１Ｒの音量調整を行う機能、並びにエコモード切り換え設定を行う機能が、本発明の「制御手段」に相当する。
【００５５】
したがって、上記した実施形態によれば、エコモード切り換え設定条件は、「設定値の確認操作が行われている状態でスイッチ番号が切り換えられること」であり、設定値の確認操作が行われている状態でなければ、ロータリースイッチ３４ａのスイッチ番号が切り換えられても、当該切り換え後のスイッチ番号のエコモード状態に切り換え設定されることはない。これに対して、音量切り換え設定条件は、「電源スイッチ５０のオン操作またはオフ操作」であり、ロータリースイッチ３４ａのスイッチ番号が切り換えられても、その後に電源スイッチ５０が操作されなければ、切り換え後のスイッチ番号の音量レベルに切り換え設定されることはない。そのため、音量調整およびエコモード切り換え設定の一方を行おうとしたときに、本来変更するつもりのない他方を行ってしまうという誤操作を防止することができる。
【００５６】
また、この実施形態では、エコモードオンとオフとが、隣接するスイッチ番号（切換接点）に対して割り振られており、一目盛り動かすだけでエコモードが切り換えられることができる反面、上述の誤操作が発生し易い。しかしながら、エコモード切り換え設定条件と音量切り換え設定条件とを異ならせることで、このようなロータリースイッチ３４ａの構成でも、当該誤操作を確実に防止することができる。
【００５７】
また、エコモード切り換え設定を、既存の音量調整用のロータリースイッチ３４ａを利用して行うため、遊技機の低コスト化を図ることがきる。また、ロータリースイッチ３４ａの各スイッチ番号（切換接点）の一部をエコモード切り換え設定専用の切換接点とする構成でなく、各スイッチ番号それぞれに、音量レベルとエコモード状態の両方を対応付ける構成のため、ロータリースイッチ３４ａのハード変更が不要になる。これにより、既存の全ての機種で、ソフトを変更するだけで、エコモード機能を付加することができる。
【００５８】
また、設定値の確認操作（設定表示スイッチ５６をオン）は、ホールでの営業時間内で操作されることが少ないため、営業時間内でロータリースイッチ３４ａの切り換え操作を行った場合は、音量調整のみを行い、営業時間外でエコモードの切り換え設定を行うという実用的な構成を提供することができる。
【００５９】
また、一般的にホールの従業員が操作するロータリースイッチ３４ａだけでなく、遊技者が操作可能な左右キーでも音量調整が行えるため実用的である。
【００６０】
（スイッチ構成の変形例）
次に、ロータリースイッチ３４ａの各スイッチ番号と、エコモードのオン／オフ設定および音量レベルとの関係の変形例について図７および図８を参照して説明する。なお、図７はロータリースイッチ３４ａの切換接点とエコモードのオン／オフ設定および音量レベルとの関係の変形例を示す図、図８は図７のロータリースイッチ３４ａの切換接点とデフォルト音量との関係を示す図である。
【００６１】
本例のスイッチ構成が、上述の実施形態の構成と異なるところは、図７に示すように、音量について、スイッチ番号「０」および「１」がいずれも音量レベル「１」、スイッチ番号「２」および「３」がいずれも音量レベル「２」、スイッチ番号「４」および「５」がいずれも音量レベル「３」、スイッチ番号「６」および「７」がいずれも音量レベル「４」、スイッチ番号「８」および「９」がいずれも音量レベル「５」にそれぞれ対応付けられていることである。すなわち、ロータリースイッチ３４ａの隣接する２つのスイッチ番号をペアとすることで、音量レベルを変えずにエコモードオンとオフとが切り換え設定できるように構成されている。エコモード切り換え設定条件および音量切り換え設定条件は、いずれも上述の実施形態と同じである。
【００６２】
遊技者による音量調整については、サブ制御基板７３のメモリ７５の所定のデフォルト音量記憶領域には、図８に示すようなロータリースイッチ３４ａの各スイッチ番号と、液晶表示器２７に表示するデフォルト音量との関係が記憶されている。例えば、ロータリースイッチ３４ａのスイッチ番号が「４」または「５」の場合において、各リールが停止している状態で、左右キー３４Ｌ，３４Ｒのいずれかが押下されると、サブ制御基板７３は、図５に示すようなデフォルト音量が表示されるように液晶表示器２７を制御する。
【００６３】
また、ロータリースイッチ３４ａの音量レベル１〜５は、液晶表示器２７に表示される音量レベル２〜６に対応しており、液晶表示器２７に表示される最小音量(音量レベル１)および最大音量（音量レベル７）は、いずれも遊技者による左右キー３４Ｌ，３４Ｒの操作のみで調整され得る音量レベルになっている。すなわち、左右キー３４Ｌ，３４Ｒによる音量調整は、ロータリースイッチ３４ａによる音量調整よりも広い範囲で行えるように構成されている。なお、上述の実施形態においても、同様に、左右キー３４Ｌ，３４Ｒによる音量調整が、ロータリースイッチ３４ａによる音量調整よりも広い範囲で行えるように構成してもよい。
【００６４】
この構成によると、上述の実施形態で得られる効果に加えて、音量設定を変更せずにエコモード切り換え設定を行うことができる。
【００６５】
なお、本発明は上記した実施形態に限定されるものではなく、その趣旨を逸脱しない限りにおいて、上記したもの以外に種々の変更を行うことが可能であり、例えば、音量切り換え設定条件は、エコモード切り換え設定条件と異なるものであれば、適宜、変更することができる。例えば、ロータリースイッチ３４ａのスイッチ番号の切り換え操作を行うことを、音量切り換え設定条件としてもよい。この場合、音量は、ロータリースイッチ３４ａのスイッチ番号の切り換え操作により、直ちに切り換え後のスイッチ番号の音量に調整されることになるが、エコモード状態は、設定値の確認操作が行われなければ切り換え設定されないことになる。
【００６６】
また、遊技者側音量調整スイッチ３４ｂ（左右キー３４Ｌ，３４Ｒ）を設けない構成であってもよい。また、上記した実施形態では、装置側音量調整スイッチ３４ａをロータリースイッチで構成する場合について説明したが、これに限られない。
【００６７】
また、ロータリースイッチ３４ａの各スイッチ番号のうちの、例えば、スイッチ番号「０」をエコモードオンに対応させるとともに、スイッチ番号「１」をエコモードオフに対応させ、残りのスイッチ番号「２」〜「９」には、エコモード切り換え設定に用いないように構成してもよい。この場合、エコモード切り換え設定条件および音量切り換え設定条件は、いずれも上述の実施形態の条件と同じでよい。
【００６８】
また、上記した各実施形態では、本発明の遊技機としてスロットマシン１を例に挙げて説明したが、パチンコ機や、スロットマシンとパチンコ機とを組み合わせた遊技機（いわゆるパロット）、あるいは、コンピュータプログラムが実行されることによるビデオゲームに本発明を適用してもよい。
【符号の説明】
【００６９】
１…スロットマシン（遊技機）、２７…液晶表示器（液晶パネル）、３１Ｌ，３１Ｒ…スピーカ（演出用スピーカ）、３３…上部ランプ部（演出用ランプ）、３４ａ…装置側音量調整スイッチ（音量調整スイッチ）、３４ｂ…遊技者側音量調整スイッチ（遊技者音量指定手段）、３７Ｌ，３７Ｒ…下部ランプ部（演出用ランプ）、５０…電源スイッチ、５６…設定表示スイッチ、７３…サブ制御基板（制御手段）
【要約】
【課題】既存の音量調整スイッチを用いて、エコモードのオン／オフの切り換え設定および音量調整の両方を適切に行うことができる遊技機を提供する。
【解決手段】スロットマシン１は、音量調整用のロータリースイッチ３４ａと、スピーカ３１Ｌ，３１Ｒの音量調整およびエコモード切り換え設定を行うサブ制御基板７３とを備え、サブ制御基板７３は、ロータリースイッチ３４ａの各スイッチ番号それぞれに設定されたエコモードオンおよびオフの対応付け、並びに音量を予め記憶し、所定のエコモード切り換え設定条件が成立したときに、ロータリースイッチ３４ａの切り換え後のスイッチ番号に対応付けられたエコモードオンまたはオフを判断してエコモード切り換えの設定を行い、エコモード切り換え設定条件とは異なる所定の音量切り換え設定条件が成立したときに、ロータリースイッチ３４ａの切り換え後のスイッチ番号に対応付けられた音量に調整する。
【選択図】図２【図１】
0005970109.tif 000002
【図２】
0005970109.tif 000003
【図３】
0005970109.tif 000004
【図４】
0005970109.tif 000005
【図５】
0005970109.tif 000006
【図６】
0005970109.tif 000007
【図７】
0005970109.tif 000008
【図８】
0005970109.tif 000009